(57)【要約】【課題】各呼出側から受信して記憶しておいた複数の受信メッセージを順次、効率的且つ的確に確認できる自動応答機能付き携帯電話装置を提供する。【解決手段】記憶手段に記憶しておいた受信メッセージをスピーカから出力し（ステップＳ８３）、当該出力から一定時間経過前に次の受信メッセージを確認する指示があった場合には（ステップＳ８４）、次の受信メッセージの番号と共に対応する呼出側の電話番号を表示部に表示して（ステップＳ８２）、当該受信メッセージをスピーカから出力する（ステップＳ８３）ようにした。【選択図】図７
2006191682.tif 000002
【特許請求の範囲】
【請求項１】
着信があった場合、受信信号中に呼出側の電話番号に係る信号があったときは、この信号より呼出側の電話番号を検出する携帯電話装置であって、
送受信を行う無線通信手段と、
表示部と、
音声を出力するスピーカと、
呼出側へ送る送信メッセージを記憶する送信メッセージ記憶手段と、
無線通信手段により受信した受信メッセージを記憶する受信メッセージ記憶手段とを有し、
着信があった場合に、送信メッセージを送信メッセージ記憶手段から呼出して無線通信手段により送信させ、呼出側の電話番号と対応付けて無線通信手段により受信した受信メッセージを受信メッセージ記憶手段に記憶し、
受信メッセージ記憶手段に記憶した受信メッセージを確認する指示があった場合には、指定された受信メッセージの番号と共に対応する呼出側の電話番号を表示部に表示して受信メッセージ記憶手段に記憶した受信メッセージをスピーカから出力し、
受信メッセージ記憶手段に記憶した受信メッセージをスピーカから出力して一定時間経過前に次の受信メッセージを確認する指示が有った場合には、次の受信メッセージの番号と共に対応する呼出側の電話番号を表示部に表示して受信メッセージ記憶手段に記憶した受信メッセージをスピーカから出力することを特徴とする携帯電話装置。
【発明の詳細な説明】
【技術分野】
【０００１】
本発明は、携帯電話装置に係り、特に、既に受信して記憶している受信メッセージを確認できるものに関する。
【背景技術】
【０００２】
近年、携帯電話装置は、便利な移動体通信装置として、広く利用されるに至っている。ところが、携帯電話装置では、電車の中等の公衆の場あるいは会議中においては、着信時の呼出音が発生すると他人に迷惑をかけることになる。これを考慮し、キー操作により着信があっても呼出音が発生しないようにし、代わりに携帯電話装置の見やすい位置に配設されているＬＥＤの点滅あるいは携帯電話装置自体の振動で携帯者に着信を知らせるようにしたものが実用に供されている。
なお、携帯電話装置は、一般に、使用者の登録により、呼出しに際してその携帯電話装置の電話番号を送信でき、一方受信側ではそれを受信して呼出側の電話番号を検出できるようになっている。
【０００３】
ところで、呼出音の発生に代えて、ＬＥＤの点滅等で着信を知らせるようにした上記のような携帯電話装置では、これをカバンの中に入れて携帯しているときには着信があっても携帯者はそれを認識できず、また会議中等には着信を認識し得ても通話を開始できず、いずれにしても、その呼出しに対して何ら応答できなかった。
この様な事情の下、いわゆる自動応答機能が付加された携帯電話装置が提案されている。この種の携帯電話装置では、当該携帯電話装置を呼出すと予想される電話装置の電話番号と、当該電話装置からの呼出が有ったときに当該電話装置へ送る送信メッセージとが予め設定される。そして、この様な設定がなされている上記携帯電話装置が、通常通話のモードではなく、上記自動応答機能を有効とするモードになっているときに、上記電話装置よりの呼出があると、前述の機能により受信信号から上記電話番号を検出して、上記電話装置よりの呼出であることを認識して、設定されている上記送信メッセージを当該電話装置に送信する。
【０００４】
ところで、上記のような自動応答機能が付加された上記携帯電話装置が、当該携帯電話装置を呼出した呼出側に対して、上記携帯電話装置が自動応答で対応した場合に、呼出側が、当該携帯電話装置に何らかのメッセージを残しておくことが出来れば極めて便利である（特に、呼出側が、緊急の連絡で呼出したとき等には、緊急連絡事項についてのメッセージを残しておき、後に、当該携帯電話装置の携帯者が、その緊急連絡事項を確認できるようになっていれば極めて便利である）。このような事情の下、上記のような自動応答機能が付加された上記携帯電話装置に、更に、受信メッセージの記憶機能をも付加し、携帯者が後にその受信メッセージの内容を確認できるようにした携帯電話装置が提案されている。
【発明の開示】
【発明が解決しようとする課題】
【０００５】
ところで、上記のような携帯電話装置即ち受信メッセージの記憶機能をも付加されている自動応答機能付き携帯電話装置では、記憶している受信メッセージが多数溜まってしまうことがある。そのような事態を考慮すると、上記のような携帯電話装置は、携帯者が当該記憶している受信メッセージを順次、効率的且つ的確に確認していけるような構成になっていることが肝要である。
本願発明は、上記のような事情に鑑みてなされたものであり、各呼出側から受信して記憶しておいた複数の受信メッセージを順次、効率的且つ的確に確認していくことが可能な自動応答機能付きの携帯電話装置の提供を目的としている。
【課題を解決するための手段】
【０００６】
着信があった場合、受信信号中に呼出側の電話番号に係る信号があったときは、この信号より呼出側の電話番号を検出する携帯電話装置を以下のように構成した。すなわち
送受信を行う無線通信手段と、
表示部と、
音声を出力するスピーカと、
呼出側へ送る送信メッセージを記憶する送信メッセージ記憶手段と、
無線通信手段により受信した受信メッセージを記憶する受信メッセージ記憶手段とを有し、
着信があった場合に、送信メッセージを送信メッセージ記憶手段から呼出して無線通信手段により送信させ、呼出側の電話番号と対応付けて無線通信手段により受信した受信メッセージを受信メッセージ記憶手段に記憶し、
受信メッセージ記憶手段に記憶した受信メッセージを確認する指示があった場合には、指定された受信メッセージの番号と共に対応する呼出側の電話番号を表示部に表示して受信メッセージ記憶手段に記憶した受信メッセージをスピーカから出力し、
受信メッセージ記憶手段に記憶した受信メッセージをスピーカから出力して一定時間経過前に次の受信メッセージを確認する指示が有った場合には、次の受信メッセージの番号と共に対応する呼出側の電話番号を表示部に表示して受信メッセージ記憶手段に記憶した受信メッセージをスピーカから出力するように構成した。
【発明の効果】
【０００７】
以上詳述したように、本願発明は、各呼出側から受信して記憶しておいた複数の受信メッセージを順次、効率的且つ的確に確認していくことが可能な自動応答機能付きの携帯電話装置の提供を可能とする。
【発明を実施するための最良の形態】
【０００８】
以下、実施例により本発明を具体的に説明する。図１は本発明の一実施例に係る送信メッセージ設定方法が採用される携帯電話装置の回路構成を示すものである。即ち本携帯電話装置は、ＣＰＵ１を中心とし、他の回路部がこれに接続する構成となっている。ＣＰＵ１は、送られてくるデータを処理加工して送出すると共に、接続する回路部に制御信号を送って、それらを制御する回路部である。表示部２はＣＰＵ１より送られてくるデータをディジタル表示する表示部である。マイクロホン３は音声を対応する電気信号に変換して送出する回路部である。送信メッセージデータ発生部４はマイクロホン３からの上記電気信号を入力し対応するメッセージデータに変換して、これを送信メッセージデータとしてＣＰＵ１に送出する回路部である。
【０００９】
アンテナ５を備える無線通信回路部６は、後述の通常応答時には、アンテナ５からの電気信号に処理を加えてスピーカー７に送出すると共にマイクロホン３からの電気信号を取込んで処理を加えアンテナ５より電波として送出し、更に後述の自動応答時には、アンテナ５よりの電気信号に処理を加えこれをＣＰＵ１に送出すると共にＣＰＵ１からのデータを対応する電気信号に変換してこれをアンテナ５より電波として送出する回路部である。スピーカー７は無線通信回路部６および音声信号発生部８よりの電気信号を得て対応する音声に変換する回路部である。また音声信号発生部８はＣＰＵ１よりのデータ信号を取込んで対応する音声電気信号に変換しスピーカー７に送出する回路部である。
【００１０】
ＲＯＭ９は、この携帯電話装置の各種動作に係るプログラムを固定的に記憶し、ＣＰＵ１の制御の下に、記憶しているプログラム等を、順次、ＣＰＵ１に送出する回路部である。ＲＡＭ１０は、各種レジスタを備えているレジスタ部Ｒ、応答方法テーブル部ＴＭ、送信メッセージ部ＳＭ、および受信メッセージ部ＲＭからなり、ＣＰＵ１の制御の下に、ＣＰＵ１からのデータを記憶すると共に、記憶しているデータをＣＰＵ１に送出する回路部である。レジスタ部Ｒにおいて、応答選択フラグＦは、応答方法テーブル部ＴＭの記憶データ等に基づいた自動応答が選択されているときに１がセットされ、他方、この携帯電話装置の携帯者が、マイクロホン３およびスピーカー７を利用して応答する通常応答が選択されているときに０がセットされるフラグレジスタである。番号レジスタＢは、上記自動応答時において、後述のメッセージ番号等がセットされるワーキングレジスタである。メッセージレジスタＭは、送信メッセージ部ＳＭに予じめ送信メッセージを記憶させておく作業時に、送信メッセージデータ発生部４からＣＰＵ１に送られてきた送信メッセージが、一時的に、記憶されるレジスタである。電話番号レジスタＴは、応答方法テーブル部ＴＭに呼出してくると予想される相手側の電話番号を予じめセットする場合等に、一時的に、その電話番号がセットされるレジスタである。メッセージ指定レジスタＤは、応答方法テーブル部ＴＭに応答方法を記憶させるときに、送信メッセージ部ＳＭのどの送信メッセージで応答するかの情報を、一時的に、記憶するレジスタである。また応答方法テーブル部ＴＭ、送信メッセージ部ＳＭおよび受信メッセージ部ＲＭの構成については後に詳述する。
【００１１】
キー入力部１１は、ダイヤルキー、オフフックキー（通話キー）、オンフックキー（終話キー）の他、応答を前記自動応答にするのか通常応答にするのかを選択する際に操作する応答選択キーＳＷ１、送信メッセージ部ＳＭに送信メッセージを設定するモードを選択する際に操作される選択メッセージ設定キーＳＷ２、応答方法テーブル部ＴＭに応答方法を設定するモードを選択する際に操作される応答方法設定キーＳＷ３、送信メッセージ部ＳＭに予じめ設定しておいた送信メッセージを確認するモードを選択する際に操作される送信メッセージ確認キーＳＷ４、受信メッセージ部ＲＭに記憶されている受信メッセージを確認するモードを選択する際に操作される受信メッセージ確認キーＳＷ５等のキースイッチが配設されており、いずれかのキースイッチが操作されたときに、対応するキー入力をＣＰＵ１に送出する回路部である。
【００１２】
図２は前記ＲＡＭ１０に設けられている前記応答方法テーブル部ＴＭの構成を示すものである。即ち、応答方法テーブル部ＴＭはそれぞれ行アドレス１から１３が与えられている１３の行からなり、各行は入力番号エリアＢＡ１、電話番号エリアＤＡ、送信メッセージ指定エリアＭＡ、応答終了記憶エリアＥＡからなる。各行の入力番号エリアＢＡ１には予じめ入力番号が記憶されているが、この入力番号は、行アドレス１２の行までは行アドレスと一致しているが、行アドレス１３の行では０となっている。また行アドレス１から１２までの各行の電話番号エリアＤＡは、この携帯電話装置の携帯者に電話をかけてくることが予想される者の電話番号即ち呼出側電話番号が記憶されるエリアであり、行アドレス１３の行の電話番号エリアＤＡは、＊が３個記憶されるエリアであり、これは上記呼出側電話番号以外の全ての電話番号を表わしている。各行の送信メッセージ指定エリアＭＡには、自動応答時、その行の電話番号エリアＤＡの呼出側電話番号の電話から呼出しがあったときに、送信するメッセージを指定するデータ（即ち送信メッセージ部ＳＭに予じめ設定されている送信メッセージにそれぞれ付されているメッセージ番号）が記憶されている。各行の応答終了記憶エリアＥＡには、原則として、その行の呼出側電話番号の電話への自動応答を既に終えているか否かが記憶されるが、行アドレス１３の行の応答終了記憶エリアＥＡには、上記呼出側電話番号以外の電話への自動応答回数が記憶される。
【００１３】
図３は、前記ＲＡＭ１０に設けられている送信メッセージ部ＳＭおよび受信メッセージ部ＲＭの構成を示すものである。送信メッセージ部ＳＭおよび受信メッセージ部ＲＭは、いずれも行アドレス（相対行アドレス）２０から３２までの１３行で構成されている。送信メッセージ部ＳＭの各行は、メッセージ番号エリアＢＡ２と送信メッセージ内容エリアＳＡとに分けられ、送信メッセージ内容エリアＳＡには、原則として、送信メッセージが設定され、メッセージ番号エリアＢＡ２には、同一行の送信メッセージ内容エリアＳＡに設定される送信メッセージに与えられるメッセージ番号が予じめ設定されている。上記メッセージ番号は、行アドレス２０の行では０、行アドレス２１の行では１、行アドレス２２の行では２といった具合になっていき、行アドレス３２の行では１２となっている。そして行アドレス２０の行の送信メッセージ内容エリアＳＡには前記呼出側電話番号以外の電話番号の電話からの呼出しがあったときに送信するメッセージ即ち一般用送信メッセージが記憶されている（従って前記図２に示す応答方法テーブル部ＴＭの行アドレス１３の行の送信メッセージ指定エリアＭＡには、このメッセージ番号０が記憶されることになる）。また、この送信メッセージ部ＳＭの行アドレス２１から３１までの行の送信メッセージ内容エリアＳＡには、それぞれ、前記呼出側電話番号の電話からの呼出しがあったときに、送信するメッセージ即ち送信メッセージ１から１１が設定される。そして、行アドレス３２の行の送信メッセージ内容エリアＳＡには、たとえ自動応答時であっても、この携帯電話装置の携帯者が直接に応答すべく、呼出音を発生させるためのコード即ち呼出コードが設定されている（即ち、図２に示す応答方法テーブル部ＴＭの行アドレス１２の行の送信メッセージ指定エリアＭＡには、上記呼出コードのメッセージ番号１２が記憶されているので、この行の電話番号エリアＤＡに記憶されている呼出側電話番号の電話があったときには、たとえ自動応答中でも呼出音が鳴る）。
【００１４】
受信メッセージ部ＲＭは、自動応答中に呼出側から送られてきたメッセージが記憶される記憶部であり、この受信メッセージ部ＲＭの各行は、呼出番号エリアＢＡ３、受信メッセージ内容エリアＪＡおよび電話番号エリアＡＡに分けられている。そして各行の呼出番号エリアＢＡ３には、行アドレスの小さい方から、順次、１から１３の呼出番号が、予じめ記憶されている。また、受信メッセージ内容エリアＪＡの各行には、同一行の呼出番号エリアＢＡ３の呼出番号が与えられる受信メッセージが、受信順に記憶され、そして電話番号エリアＡＡの各行には、同一行の受信メッセージ内容エリアＪＡに記憶されている受信メッセージを送ってきた電話の電話番号（即ち、前記呼出側電話番号となる）が記憶される。
【００１５】
次に、以上の如くに構成されている本携帯電話装置の動作について説明する。図４は本携帯電話装置の動作の概要を示すジェネラルフローチャートである。即ち電源投入と共にステップＳ１に進み、このステップＳ１では、受信がありその旨を示す信号が無線通信回路部６から送られてきているかを判断し、受信があったと判断したときは、ステップＳ２に進み、後に詳述する受信処理を実行し、然る後、ステップＳ１に戻る。他方、ステップＳ１で受信はなかったと判断したときは、ステップＳ３に進み、キー入力部１１のいずれかのキーが操作されキー入力が送られてきているかを判断し、キー入力が送られてきていないと判断したときはステップＳ１に戻る。また、ステップＳ３でキー入力が送られてきていると判断したときは、ステップＳ４に進み前記受信メッセージ確認キーＳＷ５が操作されて受信メッセージの確認を求められているのか、前記送信メッセージ設定キーＳＷ２、応答方法設定キーＳＷ３、送信メッセージ確認キーＳＷ４のいずれかが操作されて応答の設定が求められているのか、それともその他のキーが操作されて、その他のキー入力処理が求められているのかを判断する。そして、受信メッセージの確認が求められていると判断したときは、上記ステップＳ４からステップＳ５に進み、後に詳述する受信メッセージ確認処理を実行し、他方、応答の設定が求められていると判断したときは、上記ステップＳ４からステップＳ６に進み、後に詳述する応答設定処理を実行し、また、その他のキー入力処理が求められていると判断したときは、上記ステップＳ４からステップＳ７に進み、求められているキー入力処理を実行する。そして上記ステップＳ５，Ｓ６およびＳ７の処理のいずれかを実行した後にはステップＳ１に戻る。
【００１６】
図５は、前記図４のステップＳ６即ち応答設定処理を詳細に示したフローチャートであり、図６は前記図４のステップＳ２即ち受信処理を詳細に示したフローチャートであり、図７は前記図４のステップＳ５即ち受信メッセージ確認処理を詳細に示したフローチャートであり、図８は上記受信処理（図６）が実行されたときの表示部２の表示例を示すものである。
以下上記各図面を参照しながら本携帯電話装置の各種状態における動作を説明していく。
【００１７】
（イ）送信メッセージの設定
この携帯電話装置の携帯者は、この携帯電話装置の自動応答機能の利用に先立って、予じめ前記一般用送信メッセージおよび何通りかの定形的な送信メッセージを入力することになる。この場合、まずキー入力部１１の前記送信メッセージ設定キーＳＷ２を操作する。このときこの操作を図４のステップＳ３で検出し、ステップＳ４に進み、上記送信メッセージ設定キーＳＷ２が設定されて応答設定が求められていることを判断し、ステップＳ６即ち図５の応答設定処理へと進む。
【００１８】
上記応答設定処理では、まずステップＳ１１で上記のように送信メッセージ設定キーＳＷ２が操作されて送信メッセージの設定が求められていることを判断してステップＳ１２に進む。そしてステップＳ１２では、送信メッセージの入力が求められており送信メッセージの確認が求められているのではないことを判断してステップＳ１３に進む。ステップＳ１３では、ＲＡＭ１０のレジスタ部Ｒに設けられている番号レジスタＢに０をセットし、続くステップＳ１４では、この番号レジスタＢにセットした値、即ちメッセージ番号０を表示部２に表示して操作者に前記一般用送信メッセージの音声入力を促す。次いでステップＳ１５では、操作者がマイクロホン３を利用して、上記メッセージの音声入力を行うのを待機する。上記音声入力があったときは、上記ステップＳ１５からステップＳ１６に進み、マイクロホン３から音声により入力されるメッセージに対応するメッセージデータを送信メッセージデータ発生部４より取込み、これを一旦、レジスタ部ＲのメッセージレジスタＭに記憶しておく。然る後、ステップＳ１７では、一定時間、例えば３秒間、表示部２に「メッセージＯＫか」という文字を表示して、上記の如くして音声で入力したデータを、前記一般用送信メッセージデータとして送信メッセージ部ＳＭに設定するかを尋ねる。この場合、操作者が、今回の入力メッセージがあまり適切なものではないので、この入力メッセージを取消して、他のメッセージで入力し直そうと思ったときは、操作者は上記一定時間内に、キャンセルキーＳＷ６を操作することになる。この操作があったときは、それをステップＳ１８で検出しステップＳ１５に戻り、上記同様の処理（ステップＳ１５からＳ１８）が繰返される。送信メッセージの設定が、上記のように入力し直しを容易にできるプロセスで行われるので、適切な送信メッセージを容易かつ迅速に設定できることになる。
【００１９】
他方、今回、入力したメッセージを取消さずに送信メッセージ部ＳＭへ設定しようとする場合には、操作者は、上記一定時間内にキャンセルキーＳＷ６を操作しないことになるが、このとき、その旨をステップＳ１８で検出し、ステップＳ１９に進む。ステップＳ１９では、上記のようにしてメッセージレジスタＭに記憶しておいたメッセージを、一般用送信メッセージとして送信メッセージ部ＳＭのメッセージ番号０が設定されている行（即ち行アドレス２０の行）の送信メッセージ内容エリアＳＡに記憶する。続くステップＳ２０では一定時間例えば３秒間が経過する間にスクロールキーＳＷ７の操作がないかを調べ、この操作があったときはステップＳ２１に進み番号レジスタＢに次のメッセージ番号即ちメッセージ番号１を設定する（即ちこのステップＳ２１の処理では、順次、その時点まで番号レジスタＢに設定されていたメッセージ番号より、原則として、１だけ大きいメッセージ番号を設定するが、しかしその時点まで番号レジスタＢに設定されていたメッセージ番号が１２であったときは０に戻す）。このステップＳ２１の処理を終えたときはステップＳ１４に戻り、表示部２へ番号レジスタＢに設定されているメッセージ番号１を表示し、操作者へ送信メッセージ１の音声入力を促すことになる。以下、上記同様の処理（ステップＳ１５からＳ２１）が実行され、送信メッセージ部ＳＭのメッセージ番号１が設定されている行の送信メッセージ内容エリアＳＡに送信メッセージ１が設定され、番号レジスタＢのメッセージ番号は２となる。然る後、ステップＳ１４に戻り、上記同様の処理（ステップＳ１４からＳ２１）が繰返され、送信メッセージ部ＳＭの送信メッセージ内容エリアＳＡの各行には、順次、送信メッセージが設定されていくことになる。
【００２０】
以上のようにして、メッセージ番号１１が設定されている行の送信メッセージ内容エリアＳＡに送信メッセージ１１が設定された後には、ステップＳ２１で番号レジスタＢのメッセージ番号が１２となり、これがステップＳ１４で表示部２に表示される。ここで操作者が、メッセージ番号１２の行の送信メッセージ内容エリアＳＡにはメッセージではなく、前記呼出コード（前述のように、自動応答時であっても重要な連絡故に通常応答時のように携帯者が直接応答を望む場合に対応するものである）を設定しておこうとする際には、マイクロホン３に向かって一定時間、例えば３秒間、単一音を連続発生する（例えば「アー」と発生する）。送信メッセージデータ発生部４は、上記音声に係る電気信号を受けて、ＣＰＵ１に呼出コードを送出する。以後は前記同様にして（ステップＳ１５からＳ１９）、メッセージ番号１２の行の送信メッセージ内容エリアＳＡに上記呼出コードが設定されることになる。
以上のようにして送信メッセージ部ＳＭの全てまたは一部の行にメッセージ等を設定した後に、この送信メッセージ設定操作を終えるときは、前記ステップＳ２０で、前記一定時間、スクロールキーＳＷ７を操作せず放置しておくが、これにより、上記ステップＳ２０からステップＳ２２に進む。この時点で、一定時間内に、他の設定処理を指示するキー操作（例えば応答方法設定キーＳＷ３の操作）が行われなかったときは、全設定が終了したものと判断して、この応答設定処理を終え図４のステップＳ１に戻ることになる。
【００２１】
（ロ）送信メッセージ部ＳＭに設定した送信メッセージを確認する際の動作
送信メッセージ部ＳＭへ設定した送信メッセージを後に確認するときは、まず送信メッセージ確認キーＳＷ４を操作する。この場合、図４のステップＳ３でキー操作があったことを検出し、次のステップＳ４を経て、ステップＳ６即ち図５の応答設定処理に進み、ステップＳ１１を経てステップＳ１２で、操作されたのは送信メッセージ確認キーＳＷ４であり、送信メッセージの確認が求められていることを判断してステップＳ２５以降の処理へと進む。
【００２２】
ステップＳ２５では、番号レジスタＢにメッセージ番号０をセットし、次のステップＳ２６では番号レジスタＢにセットされているこのメッセージ番号０を表示部２に表示し、続くステップＳ２７では、番号レジスタＢで指定される（即ちメッセージ番号０が与えられている）送信メッセージ即ち送信メッセージ部ＳＭの行アドレス２０の行の送信メッセージ内容エリアＳＡに設定されている一般用送信メッセージを読み出して音声信号発生部８に与える。この場合、音声信号発生部８は与えられた上記一般用送信メッセージのデータ信号を対応する音声電気信号に変換してスピーカー７に与え、スピーカー７は一般用送信メッセージを音声にて出力することになる。これにより操作者は、既に送信メッセージ部ＳＭに設定されている一般用送信メッセージを音声にて確認できることになる。
【００２３】
操作者は、以上のようにして一般送信メッセージを確認した後、更にメッセージ番号１が与えられている送信メッセージ１（即ち送信メッセージ部ＳＭにおいて、上記一般用メッセージが設定されている行の次の行に設定されている送信メッセージ）をも確認しようとする場合は、上記一般用送信メッセージの音声での出力があった後、一定時間内にスクロールキーＳＷ７を操作することになる。この操作があったときは、それをステップＳ２８で検出してステップＳ２９に進み、番号レジスタＢに次の値即ちメッセージ番号１をセットし、然る後にステップＳ２６に戻る。
以下、上記同様の処理（ステップＳ２６からＳ２９）を繰返して、順次、送信メッセージ部ＳＭに設定されている各送信メッセージを音声にて確認できることになる。
【００２４】
この送信メッセージの確認時においても、前記送信メッセージの設定時と同様に、確認操作を終えるときは、前記ステップＳ２８で検出されるスクロールキーＳＷ７の操作を、前記一定時間が経過するまで行わずに放置する。これにより上記ステップＳ２８からステップＳ２２に進み、このステップＳ２２で、前記同様に他の設定操作のためのキー操作が、一定時間内に、ないときは全設定は終了したと判断して、この応答設定処理を終え、図４のステップＳ１に戻る。
【００２５】
（ハ）応答方法を設定する際の動作
前記のようにして送信メッセージ部ＳＭに送信メッセージ等を設定した後には、自動応答時にどのような応答をするかを応答方法テーブル部ＴＭに設定する。この場合、まず、前記応答方法設定キーＳＷ３を操作する。
【００２６】
上記応答方法設定キーＳＷ３の操作を受けて図４のステップＳ３，Ｓ４を経てステップＳ６即ち図５の応答処理へと進む。そして、この応答処理では、ステップＳ１１を経てステップＳ３１に進み、番号レジスタＢに入力番号１をセットし、然る後、ステップＳ２２では番号レジスタＢにセットした入力番号１を表示部２に表示し、その上でステップＳ３３に進む。ステップＳ３３では、操作者がダイヤルキーを操作して呼出側電話番号（前述のように自動応答の対象とする相手側即ち呼出側の電話の電話番号）を入力しだすのを待機する。そしてこの入力があったときは、ステップＳ３４に進み、入力された呼出側電話番号の数値を１つずつ電話番号レジスタＴにセットしていく。そして、１つの呼出側電話番号の全てを電話番号レジスタＴにセットした後には、ステップＳ３５に進み上記のようにして番号レジスタＢにセットした入力番号と電話番号レジスタＴにセットした呼出側電話番号を表示部２に表示する。次いでステップＳ３６では、操作者が送信メッセージ指定（即ち自動応答時に、上記呼出側電話番号の電話から呼出しがあったときに、この呼出側へ送るメッセージを前記送信メッセージ部ＳＭに予じめ設定しておいた送信メッセージのどれにするかの指定で、具体的には送信しようとする送信メッセージのメッセージ番号）を入力するのを待機する。そしてこの送信メッセージ指定の入力があったときは、ステップＳ３７に進みこの送信メッセージ指定を、一旦、メッセージ指定レジスタＤにセットする。然る後、ステップＳ３８では、番号レジスタＢにセットした入力番号と電話番号レジスタＴにセットした呼出側電話番号とメッセージ指定レジスタＤにセットした送信メッセージ指定を表示部２に表示し、これらの組合わせでの応答方法テーブル部ＴＭへの記憶でよいのかの判断を操作者に求める。この場合、操作者は、この組合わせでは不都合であると考えたときは、一定時間内、例えば３秒間内にキャンセルキーＳＷ６を操作することになる。ステップＳ３９では、上記キャンセルキーＳＷ６の操作が上記一定時間内にあったかを判断し、この操作があったときはステップＳ３３に戻り、上記同様の動作を繰返すことになるが、この操作がなかったときはステップＳ４０に進む。ステップＳ４０では、電話番号レジスタＴにセットしておいた呼出側電話番号を応答方法テーブル部ＴＭの行アドレス１の行（入力番号エリアＢＡ１に入力番号１が予じめ記憶されている行であり、以下、入力番号１の行という）の電話番号エリアＤＡに記憶し、番号レジスタＢにセットしておいた上記送信メッセージ指定を入力番号１の行の送信メッセージ指定エリアＭＡに記憶し、更にこの行の応答終了記憶エリアＥＡに未だ応答を行っていない旨を示す「無」を記憶する（図２の行アドレス１の行を参照）。
操作者が、続いて、応答方法テーブル部ＴＭの他の行にも応答方法を記憶していこうとするときには、一定時間内にスクロールキーＳＷ７を操作することになる。この操作が上記一定時間内にあったときは、それをステップＳ４１で検出し、ステップＳ４２に進み番号レジスタＢに次の入力番号２をセットし、ステップＳ３２に戻る。
【００２７】
以下、上記同様の動作を繰返しながら、応答方法テーブル部ＴＭの各入力番号の行に、呼出側電話番号およびその呼出側電話番号の電話からの呼出しに対して送信するメッセージを指定する送信メッセージ指定並びに上記「無」を記憶していく。なお、ステップＳ４２では、番号レジスタＢに既に入力番号１２がセットされているときは、新たに入力番号０をセットし、既に入力番号０がセットされているときは、新たに入力番号１をセットする。このステップＳ４２で番号レジスタＢに新たに入力番号０がセットされたときは、ステップＳ３２でこの入力番号０が表示され、操作者は、これを見てダイヤルキー中の＊のキーを３回操作することになるが、これは、上記各呼出側電話番号以外の不特定の電話番号を示す。また、この場合、操作者は送信メッセージ指定として、不特定者への送信メッセージである一般用送信メッセージのメッセージ番号０（図３の送信メッセージ部ＳＭの行アドレス２０の行を参照）を選ぶので、応答方法テーブル部ＴＭの入力番号０の行の電話番号エリアＤＡおよび送信メッセージ指定エリアＭＡの記憶状態は、図２の入力番号０の行に示すようになる。
【００２８】
操作者は、上記のようにして、応答方法テーブル部ＴＭに応答方法を記憶させる作業を終えた後には、上記スクロールキーＳＷ７を上記一定期間内に操作せず放置することになる。これによりステップＳ４１からステップＳ２２に進む。ステップＳ２２では、一定時間が経過するまでに新たな設定処理を求めるキー処理がなく全設定が終了したのかを判断し、終了したと判断したときは、この応答設定処理を終え、図４のステップＳ１に戻る。しかし、一定時間内に新たな設定処理を求めるキー操作があり、全設定は終了していないと判断したときは、ステップＳ１１に戻り、操作されたキーに応じて送信メッセージの入力動作（ステップＳ１２，Ｓ１３からＳ２１）、送信メッセージの確認動作（ステップＳ１２，Ｓ２５からＳ２９）または応答方法設定動作（ステップＳ３１からＳ４２）へと進む。これは、前記送信メッセージの確認動作後のステップＳ２２の処理および前記送信メッセージの入力動作後のステップＳ２２の処理において全設定が終了していないと判断した場合でも同様である。
【００２９】
（ニ）通常応答時の受信動作
受信があったときは、無線通信回路部６からのその旨の信号を図４のステップＳ１で検出しステップＳ２即ち図６の受信処理へと進む。そしてステップＳ５０では一部回路にのみ電源供給が行われていた無線通信回路部６の全回路に電源を供給する制御信号を送出し送受信の全てを行えるようにする。次いでステップＳ５１では、応答選択フラグＦのセット値が０になっていることを確認し、ステップＳ７５に進みスピーカー７より呼出音を発生させる。続くステップＳ７６では携帯者がオフフックキーを操作するのを待機し、この操作があったときはステップＳ７７に進む。ステップＳ７７では上記呼出音の発生を停止させ、更に制御信号を発して、マイクロホン３、およびスピーカー７を用いての通常応答が可能な状態にする。これらにより携帯者は呼出側と通常の応答（会話）を行うことになる。上記ステップＳ７７の処理を終えた後には、ステップＳ７８に進み携帯者が応答を終えて、オンフックキーを操作するのを待機する。この操作があったときには、ステップＳ７８からステップＳ６２に進み、オンフック信号を無線通信回路部６に送り、受信があった前の状態に戻しておき、この受信処理を終え図４のステップＳ１に戻る。
【００３０】
（ホ）自動応答時の受信動作
この場合も、前記（ニ）の通常応答時と同様に、受信を受けて図６のステップＳ５０までの処理が行われステップＳ５１に進む。しかしこの場合は応答選択フラグＦのセット値は１となっているから（なお、応答選択フラグＦのセット値は、キー操作を受けて、図４のステップＳ７のその他のキー入力処理で０と１の間で反転する）、ステップＳ５２に進み、無線通信回路部６を介して送られてくる信号から相手側の電話番号の検出を試みる。検出できなかったときは（相手側の電話装置が、そもそも自己の電話番号を送出するものではないときは）、前述のステップＳ７５以降の処理へと進む。他方、ステップＳ５２で相手側の電話番号を検出したときは、ステップＳ５３でその電話番号を電話番号レジスタＴにセットし、次のステップＳ５４ではこの電話番号レジスタＴにセットした電話番号が応答方法テーブル部ＴＭの電話番号エリアＤＡに前記呼出側電話番号として記憶されているかを判断する。
【００３１】
上記ステップＳ５４で電話番号レジスタＴにセットした電話番号が電話番号エリアＤＡに呼出側電話番号として記憶されていると判断したときは、その呼出側電話番号の電話装置への送信メッセージが送信メッセージ部ＳＭの送信メッセージ内容エリアＳＡに設定されているか（即ち、応答方法テーブル部ＴＭにおいて、上記呼出側電話番号が記憶されている電話番号エリアＤＡと同一行の送信メッセージ指定エリアＭＡには送信メッセージ指定として１２以外の１から１１のメッセージ番号が設定されているか）を判断する。上記送信メッセージが設定されておらず、前記呼出コードが設定されているときは（即ち、送信メッセージ指定としてメッセージ番号１２が記憶されているときは）、携帯者が、たとえ自動応答中でも自分で直接に応答することを望んでいる相手からの電話なので、前記ステップＳ７５以降の処理へと進む。他方、上記送信メッセージが設定されているときは、ステップＳ５５からステップＳ５６に進み、その送信メッセージを送信メッセージ指定即ちメッセージ番号に基づき送信メッセージ部ＳＭの送信メッセージ内容エリアＳＡより読み出して、それを無線通信回路部６を介して送出する。続くステップＳ５７では一定時間内に相手側即ち呼出側からメッセージが送られてきているかを判断し、送られてきているときは、ステップＳ５８に進み、受信メッセージ部ＲＭの未記憶の行のうちで最も小さい呼出番号が記憶されている行の受信メッセージ内容エリアＪＡに、その送られてきたメッセージを受信メッセージとして記憶する。次いでステップＳ５９では、電話番号レジスタＴにセットしておいた相手側の電話番号を、上記受信メッセージを記憶した受信メッセージ内容エリアＪＡと同一行の電話番号エリアＡＡに記憶する。
【００３２】
上記ステップＳ５９の処理を終えた場合または上記ステップＳ５７で一定時間内に相手側からメッセージが送られてきてはいないと判断した場合は、いずれもステップＳ６０に進み応答方法テーブル部ＴＭの今回の受信に係る呼出側電話番号が記憶されている行の応答終了記憶エリアＥＡの「無」を「有」に変えて呼出しの終了を記憶する。次のステップＳ６１では図８の（ａ）に示すような終了表示を表示部２に表示させるが、この場合、今回の受信に係る呼出側電話番号、その入力番号、メッセージ番号（送信メッセージ指定）および上記呼出しの終了（＊）を下の表示行に表示し、上の表示行には、上記呼出側電話番号の入力番号より１だけ小さい（前の）入力番号に係る呼出側電話番号等（即ち、応答方法テーブル部ＴＭにおいて、今回の呼出側電話番号等が記憶されている行より行アドレスが原則として１だけ小さい行に記憶されているデータ）が表示される。上記ステップＳ６１の処理を終えた後には、前記ステップＳ６２の処理を実行して、この受信処理を終えて図４のステップＳ１に戻る。
【００３３】
前記ステップＳ５４で、今回の受信に係る相手側の電話番号（電話番号レジスタＴにセットされている電話番号）は応答方法テーブル部ＴＭの電話番号エリアＤＡには記憶されていないと判断したときにはステップＳ６５に進み、応答方法テーブル部ＴＭの入力番号０が記憶されている行（即ち電話番号エリアＤＡには不特定の電話番号を示す３個の＊が記憶されている行）の送信メッセージ指定エリアＭＡの送信メッセージ指示０に基づいて、送信メッセージ部ＳＭのメッセージ番号０の一般用送信メッセージを無線通信回路部６を介して送信する。次いでステップＳ６６では、一定時間経過内に相手側からメッセージが送られてきたかを判断し、送られてきたときは受信メッセージ部ＲＭの未記憶の行のうち、最も小さい呼出番号が記憶されている行の受信メッセージ内容エリアＪＡへ、送られてきたメッセージを受信メッセージとして記憶する。続くステップＳ６８では、電話番号レジスタＴにセットしておいた相手側の電話番号を上記受信メッセージを記憶した受信メッセージ部ＲＭと同一の行の電話番号エリアＡＡに記憶する。然る後、ステップＳ６９では応答方法テーブル部ＴＭの入力番号０が記憶されている行の応答終了記憶エリアＥＡの一般応答数を１だけ大きいものとし（図２の行アドレス１３の行を参照）、その後、ステップ７０に進み図８の（ｂ）に示すような終了表示を表示部２に表示させる。同図に示すように、この場合も今回の受信に係るデータは下の表示行に表示され上の表示行には上記応答方法テーブル部ＴＭにおいて上記呼出番号０より１だけ前の呼出番号１２が記憶されている行の記憶データが表示される。なお、今回の受信に係るデータとしては、前記呼出側電話番号以外の不特定の電話番号を示す「ＯＴＨＥＲ」、その入力番号、メッセージ番号および一般応答数（同図では３となっている）が表示される。また上記ステップＳ７０の処理を終えた後には、前記ステップＳ６２の処理を実行してこの受信処理を終了し図４のステップＳ１に戻る。
【００３４】
（ヘ）自動応答時の受信メッセージを確認する際の動作
自動応答時に受信メッセージ部ＲＭに記憶した受信メッセージを確認するときには、前記受信メッセージ確認キーＳＷ５を操作する。これを受けて、図４のステップＳ３，Ｓ４を経てステップＳ５即ち図７の受信メッセージ確認処理に進む。そしてステップＳ８０で番号レジスタＢに呼出番号１をセットし次のステップＳ８１で呼出番号１の受信メッセージが受信メッセージ部ＲＭに記憶されているかを判断し、記憶されていないときはこの受信メッセージ確認処理を終えるが、記憶されているときはステップＳ８２に進む。ステップＳ８２では番号レジスタＢで指定されている呼出番号１と、受信メッセージ部ＲＭにおいて呼出番号１が記憶されている行の電話番号エリアＡＡに記憶されている相手側の電話番号とを表示部２に表示し、次のステップＳ８３では上記呼出番号１の受信メッセージ（受信メッセージ部ＲＭにおいて、呼出番号１が記憶されている行の受信メッセージ内容エリアＪＡに記憶されている受信メッセージ）を音声信号発生部８に与え、スピーカー７よりこの受信メッセージを音声で出力させる。続くステップＳ８４では、一定時間経過前にスクロールキーＳＷ７の操作があったかを判断し、なかったときはこの受信メッセージ確認処理を終えて図４のステップＳ１に戻るが、上記操作があったときは、番号レジスタＢの呼出番号を次のもの（この場合は呼出番号２）にしてステップＳ８１に戻り、以下、上記同様の処理を繰返す。これにより、受信メッセージ部ＲＭに記憶した各回の受信データは、表示部２での表示およびスピーカー７による音声出力で、順次、確認できることになる。
【００３５】
なお、本願発明は上記携帯電話装置で採用された送信メッセージ設定方法に限定されず、本願発明を逸脱しない範囲内において種々変形応用が可能である。例えば、上記携帯電話装置は応答設定処理（ステップＳ６）、受信メッセージ確認処理（ステップＳ５）等を実行中において受信があっても何らこれに対応するものではないが、これを受信があった場合には、たとえ応答設定処理受信メッセージ確認処理等の実行中でも強制的に受信処理を行う携帯電話装置に採用されるものであってもよいことは勿論である。
また、上記携帯電話装置で採用された実施例は、呼出側電話番号と送信メッセージとを複数組設定できるものであったが、これに限定されず、１組だけのもの、呼出側電話番号は複数で送信メッセージは全て同一で１個のもの、或いは呼出側電話番号は設定されずに何れの呼出に対しても送信される送信メッセージが１個だけ設定されるのものでもよいことは無論である。
【産業上の利用可能性】
【００３６】
複数の受信メッセージを順次、スピーディに確認していくタイプの自動応答機能付きの携帯電話装置を製造する産業において利用できる。
【図面の簡単な説明】
【００３７】
【図１】本発明の一実施例の回路構成を示す図である。
【図２】図１に示すＲＡＭに設けられている応答方法テーブル部の構成を示す図である。
【図３】図１に示すＲＡＭに設けられている送信メッセージ部および受信メッセージ部の構成を示す図である。
【図４】上記実施例の動作の概要を示すジェネラルフローチャートである。
【図５】前記図４中の応答設定処理を詳細に示すフローチャートである。
【図６】前記図４中の受信処理を詳細に示すフローチャートである。
【図７】前記図４中の受信メッセージ確認処理を詳細に示すフローチャートである。
【図８】受信処理における終了表示の表示例を示すものである。
【符号の説明】
【００３８】
１      ＣＰＵ
６      無線通信回路部
９      ＲＯＭ
１０    ＲＡＭ
Ｆ      応答選択フラグ
Ｂ      番号レジスタ
Ｍ      メッセージレジスタ
Ｔ      電話番号レジスタ
Ｄ      メッセージ指定レジスタ
ＢＡ１  入力番号エリア
ＢＡ２  メッセージ番号エリア
ＢＡ３  呼出番号エリア
ＤＡ    電話番号エリア
ＭＡ    送信メッセージ指定エリア
ＥＡ    応答終了記憶エリア
ＳＡ    送信メッセージ内容エリア
ＪＡ    受信メッセージ内容エリア
ＡＡ    電話番号エリア
【図１】
2006191682.tif 000003
【図２】
2006191682.tif 000004
【図３】
2006191682.tif 000005
【図４】
2006191682.tif 000006
【図５】
2006191682.tif 000007
【図６】
2006191682.tif 000008
【図７】
2006191682.tif 000009
【図８】
2006191682.tif 000010